(57)【要約】【課題】温度補償ヒータの省略を図ると共に上下の冷凍温度帯に挟まれた野菜室の庫内温度が規定温度以下とならないようにする。【解決手段】庫内が冷凍温度となる食品室５、７と食品室１１の間で上と下から直接挟まれた野菜室９に、凝縮器１９の一部となるパイプ２１を延長配置し、そのパイプ２１による放熱で野菜室９の庫内を暖める。【選択図】図１
2007120854.tif 000002
【特許請求の範囲】
【請求項１】
冷蔵庫本体に、圧縮機から吐出された冷媒が凝縮器、絞り装置、蒸発器を通り再び圧縮機に戻る冷凍サイクルと、庫内が冷凍温度となる二つの食品室と、その食品室と食品室の間で上と下から直接挟まれた野菜室とを有し、前記野菜室は、前記凝縮器の一部となるパイプが延長配置され、そのパイプによる放熱で庫内が暖められることを特徴とする冷蔵庫。
【請求項２】
前記凝縮器の一部となるパイプは、凝縮器から延長された既設の庫内霜取り用防露パイプの下流に接続連通していることを特徴とする請求項１記載の冷蔵庫。
【請求項３】
前記凝縮器の一部となるパイプは、野菜室の庫内天井面に配置されていることを特徴とする請求項１又は２記載の冷蔵庫。
【請求項４】
前記凝縮器の一部となるパイプは、野菜室の庫内底面に配置されていることを特徴とする請求項１又は２記載の冷蔵庫。
【請求項５】
前記凝縮器の一部となるパイプは、野菜室の庫内奥面に配置されていることを特徴とする請求項１又は２記載の冷蔵庫。
【請求項６】
前記凝縮器の一部となるパイプは、庫内天井面、底面、奥面のいずれかの組合せからなることを特徴とする請求項１又は２記載の冷蔵庫。
【発明の詳細な説明】
【技術分野】
【０００１】
本発明は冷蔵庫に関する。
【背景技術】
【０００２】
一般に冷蔵庫には、上から順に配置された冷蔵室、野菜室、冷凍室とを有し、その外に近年は並列配置された製氷室と切替室が新たに加えられたものが製品化されている。その図を図９に示す。
【０００３】
図９は冷蔵庫の正面図を示したもので、製氷室１０１と切替室１０３はいずれも独立した引き出しタイプとなっていて左右並列に配置されている。配置場所としては使い勝手の面から冷蔵室１０５の下で、野菜室１０７の上に位置し、上から順に冷蔵室１０５、左右並列の製氷室１０１及び切替室１０３、野菜室１０７、冷凍室１０９となるレイアウト構造となっている。
【発明の開示】
【発明が解決しようとする課題】
【０００４】
冷蔵庫のレイアウト構造をみると、野菜室１０７は並列配置された製氷室１０１及び切替室１０３と冷凍室１０９とによって上と下から直接挟まれた構造となる。
【０００５】
製氷室１０１と切替室１０３の内、製氷室１０１は氷を作るところから庫内はマイナスの冷凍温度となる。切替室１０３は食料品に対応してプラス温度からマイナスの冷凍温度まで幅広く切替えられるようになっていて野菜室１０７は、下位の冷凍室１０９とによりマイナスとなる冷凍温度帯によって上と下から挟まれたサンドイッチ構造となる。このために、野菜室１０７の庫内が規定温度以下に達する不具合をかかえる。
【０００６】
野菜室１０７は、野菜等を保存する性質上、規定温度以下とならないことが望ましく、一般には温度補償ヒータで暖められているが、電力を消費するためランニングコストの面で望ましくなかった。
【０００７】
そこで、本発明にあっては温度補償ヒータを用いなくても野菜室を暖めることができる冷蔵庫を提供することを目的としている。
【課題を解決するための手段】
【０００８】
前記目的を達成するために、本発明にあっては、冷蔵庫本体に、圧縮機から吐出された冷媒が凝縮器、絞り装置、蒸発器を通り再び圧縮機に戻る冷凍サイクルと、庫内が冷凍温度となる二つの食品室と、その食品室と食品室の間で上と下から直接挟まれた野菜室とを有し、前記野菜室は、前記凝縮器の一部となるパイプが延長配置され、そのパイプによる放熱で庫内が暖められることを特徴とする。
【発明の効果】
【０００９】
本発明によれば、凝縮器の一部となるパイプによる放熱で野菜室を暖めることができるため、庫内が規定温度以下に下がることがなくなり、野菜室を暖める専用の温度補償ヒータを省略することができる。この結果、設備コスト、ランニングコストの大幅な削減が図れる。
【発明を実施するための最良の形態】
【００１０】
本発明にあっては第１に、前記凝縮器の一部となるパイプを、凝縮器から延長された既設の庫内霜取り用防露パイプの下流に接続連通させることで、野菜室を暖める最適な温度の放熱が得られるようにする。
【００１１】
第２に、前記凝縮器の一部となるパイプを、野菜室の庫内天井面に配置することで、最適温度の放熱で庫内を上から暖める。
【００１２】
第３に、前記凝縮器の一部となるパイプを、野菜室の庫内底面に配置することで、最適温度の放熱で庫内を下から暖める。
【００１３】
第４に、前記凝縮器の一部となるパイプを、野菜室の庫内奥面に配置することで、最適温度の放熱で庫内奥から前方向けて暖める。
【００１４】
第５に、前記凝縮器の一部となるパイプを、庫内天井面、底面、奥面のいずれかの組合せとすることで、庫内全体を均一に暖める。
【実施例】
【００１５】
以下、図１乃至図８の図面を参照しながら本発明の実施形態について具体的に説明する。
【００１６】
図１は本発明にかかる冷蔵庫の概要切断側面図，図２は冷蔵庫の概要正面図をそれぞれ示している。
【００１７】
冷蔵庫本体１は、上から順に配置された冷蔵室３と、並列配置された製氷室５及び切替室７と、野菜室９と、冷凍室１１とをそれぞれ有している。冷蔵室３は、独立した庫内となっていて、ドア３ａはヒンジ１５を支点として開閉するヒンジタイプとなっている。
【００１８】
並列配置された製氷室５及び切替室７の外に、野菜室９と冷凍室１１の各ドア３ａ，５ａ，９ａ，１１ａは、それぞれ独立した庫内を有する引き出しタイプとなっている。野菜室９は野菜等を保存するところで前記した冷凍室１１と、製氷室５及び切替室７に比べて比較的高い温度に設定されている。
【００１９】
製氷室５及び切替室７の内、製氷室５は氷を作るところで、庫内はマイナスの冷凍温度となるよう管理されている。切替室７は、食料品に対応してプラス温度からマイナスの冷凍温度まで切替え制御可能となっている。
【００２０】
冷凍室１１は冷凍食品を保存するところで、庫内はマイナスの冷凍温度となるよう管理され、前記した野菜室９はマイナスの冷凍温度帯によって上と下から挟みつけられたレイアウト構造となっている。
【００２１】
野菜室９は、冷凍サイクルを構成する凝縮器１９の一部となるパイプ２１の放熱によって暖められる手段となっている。
【００２２】
放熱手段となるパイプ２１は、図３、図４に示すように凝縮器１９と連通し凝縮器１９の一部となる庫内霜取り用防露パイプ２５の下流に接続連通している。
【００２３】
凝縮器１９は、圧縮機２７，絞り装置２９，蒸発器３１とで冷凍サイクルを構成している。蒸発器３１は冷蔵庫本体１の後部に設けられた冷却通路３３内（一部分を示す）に配置され、蒸発器３１によって熱交換された冷気はファン（図示していない）によって各庫内へ送り込まれることで、庫内冷却が行なわれる。
【００２４】
なお、圧縮機２７を始めとして凝縮器１９、絞り装置２９は冷蔵室本体１の後方下部に設けられた機械室３５内に配置されており、図面では圧縮機２７のみ示す。
【００２５】
庫内霜取り用防露パイプ２５の下流に接続されたパイプ２１の配置位置は、図１，図３に示すように野菜室９の底内天井面に設けられ、パイプ２１からの放熱によって庫内を直接暖めることが可能となっている。
【００２６】
パイプ２１は、中温、高圧の冷媒が流れる防露パイプ２５の下流に位置するところから防露パイプ２５で仕事を終えた冷媒は中温、高圧の状態からさらに冷媒温度が低下した状態となり、庫内を直接暖める最適な放熱温度が得られるようになっている。
【００２７】
一方、パイプ２１を配置する位置としては、庫内天井面の外に、図５、図６に示すように野菜室９の庫内奥面又は、図７に示すように野菜室９の庫内底面に設けるようにしてもよい。あるいは、図８に示すように庫内全体を均一に暖めることができるようそれらを組合せた手段としてもよい。
【００２８】
このように構成された冷蔵庫によれば、運転中の野菜室９は、凝縮器１９の一部となるパイプ２１からの放熱によって暖められる。したがって、冷凍温度帯によって挟まれた野菜室９であっても規定温度以下にはならず、温度補償ヒータの省略が図れる。
【図面の簡単な説明】
【００２９】
【図１】本発明にかかる冷蔵庫の概要切断側面図。
【図２】冷蔵庫の概要正面図。
【図３】防露パイプの下流に接続連通し合う凝縮器の一部となるパイプを野菜室の天井面まで延長配置した配管状態を示すパイプの概要説明図。
【図４】冷凍サイクル図。
【図５】凝縮器の一部となるパイプを野菜室の庫内奥面に設けた図１と同様の概要切断側面図。
【図６】防露パイプの下流に接続連通し合う凝縮器の一部となるパイプを野菜室の庫内奥面まで遅延配置した配管状態を示すパイプの概要説明図。
【図７】凝縮器の一部となるパイプを野菜室の庫内底面に設けた図１と同様の概要切断側面図。
【図８】凝縮器の一部となるパイプを野菜室の天井面、底面、庫内奥面に設けた組合せ手段を示す図１と同様の概要切断側面図。
【図９】並列配置の製氷室及び切替室と冷凍室とに野菜室が挟まれた公知例を示す冷蔵庫の概要正面図。
【符号の説明】
【００３０】
１    冷蔵庫本体
５、７    製氷室と切替室（食品室）
９    野菜室
１１    冷凍室
２１    パイプ
２５    庫内霜取り用防露パイプ
２７    圧縮機
２９    絞り装置
３１    蒸発器
【図１】
2007120854.tif 000003
【図２】
2007120854.tif 000004
【図３】
2007120854.tif 000005
【図４】
2007120854.tif 000006
【図５】
2007120854.tif 000007
【図６】
2007120854.tif 000008
【図７】
2007120854.tif 000009
【図８】
2007120854.tif 000010
【図９】
2007120854.tif 000011